(57)【特許請求の範囲】
【請求項１】
金属コア板の両面に、金属コア板側から順に樹脂からなる絶縁層と金属箔を有する金属張積層板を用いて構成された金属コアプリント配線板であって、
前記金属コア板の厚さ方向に貫通する貫通穴のうち、一方向の長さがこれと直交する方向の長さよりも長い部分を有する長穴が、プレスによる打ち抜きで形成され、前記長い部分の穴内面に、その長手方向と直交する内方に向けて部分的に突出して積層されたプリプレグの樹脂を前記長穴の内方に向けて導く複数の樹脂導入突部が備えられ、
前記長穴の長い部分の穴内面が円弧の連続した形状であり、
前記樹脂導入突部が、円弧状の２辺で挟まれて先端側ほど幅狭となる略三角形状であるとともに、その先端が角アール部を有し、
長手方向において隣接する前記樹脂導入突部の間隔は、前記長穴の長手方向と直交する幅方向の長さよりも短く、前記長穴の前記幅方向の長さの半分よりも長く構成され、
前記円弧の中心の間隔が少なくとも一部で異なる
金属コアプリント配線板。
【請求項２】
厚さ方向に貫通する貫通穴を有し金属コアプリント配線板を構成する金属コア板であって、
前記貫通穴のうち、一方向の長さがこれと直交する方向の長さよりも長い部分を有する長穴が、プレスによる打ち抜きで形成され、前記長い部分の穴内面に、その長手方向と直交する内方に向けて部分的に突出して積層されたプリプレグの樹脂を前記長穴の内方に向けて導く複数の樹脂導入突部が備えられ、
前記長穴の長い部分の穴内面が円弧の連続した形状であり、
前記樹脂導入突部が、円弧状の２辺で挟まれて先端側ほど幅狭となる略三角形状であるとともに、その先端が角アール部を有し、
長手方向において隣接する前記樹脂導入突部の間隔は、前記長穴の長手方向と直交する内方の長さよりも短く、その長さの半分の長さよりも長く構成され、
前記円弧の中心の間隔が少なくとも一部で異なる
金属コア板。
【請求項３】
請求項２に記載の金属コア板を用いた
金属張積層板。
【請求項４】
金属コア板の両面に、金属コア板側から順に樹脂からなる絶縁層と金属箔を有する金属張積層板を用いて構成された金属コアプリント配線板の製造方法であって、
前記金属コア板の厚さ方向に貫通する貫通穴のうち、一方向の長さがこれと直交する方向の長さよりも長い部分を有する長穴が、前記長い部分の穴内面に、その長手方向と直交する内方に向けて部分的に突出し、
前記長穴の長い部分の穴内面が円弧の連続した形状であり、
円弧状の２辺で挟まれて先端側ほど幅狭となる略三角形状であるとともに、その先端が角アール部を有する樹脂導入突部を、
長手方向において隣接する間隔が、前記長穴の長手方向と直交する内方の長さよりも短く、その長さの半分の長さよりも長く構成されるとともに、
前記円弧の中心の間隔が少なくとも一部で異なるようにプレスで打ち抜き形成し、
前記金属コア板とプリプレグと金属箔を積層して加熱プレスによる積層工程で、前記プリプレグの樹脂を前記長穴の内方に導いて前記長穴に樹脂を充填する
金属コアプリント配線板の製造方法。
【発明の詳細な説明】
【技術分野】
【０００１】
この発明は、金属コアプリント配線板に関し、より詳しくは、ボイドの発生を抑制できるような金属コアプリント配線板とその製法に関する。
【背景技術】
【０００２】
金属コアプリント配線板は、次のように製造されている。
【０００３】
まず、金属コア板を得るため、所定厚の銅板を裁断して素材を得て、図９に示したように、素材の所定位置に、貫通穴１０１，１０２をドリルやエッチングなどであけて金属コア板１０３を得る。このあと、金属コア板１０３の表面に、樹脂のくっつきをよくするための粗化処理を施す。
【０００４】
次に、粗化処理後の金属コア板１０３の両面に、金属コア板１０３側から順に図示しないプリプレグと銅箔を重ねて加熱プレスし、前記の金属コア板１０３とプリプレグと銅箔を積層一体化させる。この一体化のときに、図１０において一部を破断して示したように、プリプレグの樹脂が金属コア板１０３の貫通穴１０１，１０２の中に充填される。
【０００５】
積層一体化により、金属コア板１０３の両面に絶縁層１０４ａを介して銅箔１０４ｂが存在することになる（図１１参照）。この一体化したものが金属張積層板としての銅張積層板１０４である。
【０００６】
つづいて、所定位置にスルーホール用の穴をあけ、この後、スルーホールメッキ、パターン形成、ソルダレジスト形成などの必要な処理を行うと、金属コアプリント配線板が得られる。
【０００７】
しかし、上記の加熱プレスによる積層一体化では、プリプレグの溶けた樹脂を貫通穴１０１，１０２に流し込むため、成形中にプリプレグから出てきた空気やドラフトチャンバ内に残存している空気が、図１１に示したように貫通穴１０１，１０２に充填された樹脂に残存し、ボイド１０５が発生することが多々ある。図１１中（ａ）は図１０のＡ−Ａ断面図（長穴からなる貫通穴１０２の長手方向と直交する方向の断面図）、（ｂ）は図１０のＢ−Ｂ断面図（長穴からなる貫通穴１０２の長手方向の断面図）である。
【０００８】
ボイド１０５があると、配線板としての電気的特性を満足させることができなかったり、ドリルで貫通穴をあける際の衝撃によるクラックの起点となったり、ハンダ耐熱試験や信頼性試験での冷熱サイクルでボイドが膨張収縮してクラックを発生させたりすることがある。このため、ボイドの発生を極力抑制することが必要である。
【０００９】
しかし、加工条件やプリプレグの性能を適正に管理してボイドの発生を抑制するように努めても、ボイドの発生を回避しにくい場合があった。
【００１０】
すなわち、基板の設計上、貫通穴が狭ピッチで多数並ぶ部分には、貫通穴を円形の貫通穴１０１ではなく、図９に示したように長穴からなる貫通穴１０２で構成することが行われているが、このような長穴からなる貫通穴１０２が多数並設された場合（図９のＡ部分参照）には、内側に位置する貫通穴１０２ほど、ボイドが発生しやすい傾向にある。これは、プリプレグに含浸できる樹脂量には限度があって、集中して存在する貫通穴を十分にかつ均等に埋めるほどの樹脂量を確保できないことも一因であると考えられる。
【００１１】
下記特許文献１に開示された金属コアプリント配線板のように、金属コア板の貫通穴に樹脂からなる閉塞部をあらかじめ保持して、その金属コア板に絶縁層を形成すれば、ボイドの発生を回避でき、樹脂量の不足も起こらない。
【先行技術文献】
【特許文献】
【００１２】
【特許文献１】特開２００９−２００２９９号公報
【発明の概要】
【発明が解決しようとする課題】
【００１３】
しかしながら、特許文献１の金属コアプリント回路板においては、製造において貫通穴を塞ぐ工程が必要であり、手間と製造コストがかかる。
【００１４】
そこで、この発明は、ボイドの発生を抑制することが工程数を増やさずに容易に行えるとともに、製造コストの低減も図ることができるようにすることを主な目的とする。
【課題を解決するための手段】
【００１５】
そのための手段は、金属コア板の両面に、金属コア板側から順に樹脂からなる絶縁層と金属箔を有する金属張積層板を用いて構成された金属コアプリント配線板であって、前記金属コア板の厚さ方向に貫通する貫通穴のうち、一方向の長さがこれと直交する方向の長さよりも長い部分を有する長穴が、プレスによる打ち抜きで形成され、前記長い部分の穴内面に、その長手方向と直交する内方に向けて部分的に突出して積層されたプリプレグの樹脂を前記長穴の内方に向けて導く複数の樹脂導入突部が備えられ、前記樹脂導入突部が、円弧状の２辺で挟まれて先端側ほど幅狭となる略三角形状であり、前記長穴の長い部分の穴内面が円弧の連続した形状であるとともに、その先端が角アール部を有し、長手方向において隣接する前記樹脂導入突部の間隔は、前記長穴の長手方向と直交する幅方向の長さよりも短く、前記長穴の前記幅方向の長さの半分よりも長く構成され、前記長穴の幅方向の中心と前記樹脂導入突部同士の間の中心点との交点間の間隔が、少なくとも一部で異なることである。
前記「貫通穴」は、コア分割のためのスリット（貫通穴）を含む。前記樹脂導入突部を有する貫通穴の形成はプレスによる打ち抜きで行える。
【００１６】
この金属コアプリント配線板では、金属コア板の長穴における樹脂導入突部が、長穴の穴内面から長穴の幅方向の中心までの距離を部分的に短くし、その中心部分に樹脂を円滑に導く。また長穴の一部を占有し、長穴の容積を小さくして必要な樹脂の量を抑えて、その他の貫通穴への樹脂供給量を確保する。前記樹脂導入突部の先端は角アール部を有するので、バリの発生が抑えられ、樹脂充填の円滑さを確保できる。
【００１７】
前記樹脂導入突部は、先端側ほど幅狭となる略三角形状であるとよい。樹脂導入突部の内面から長穴の幅方向の中心のうち最も遠い部分までの距離の均等化を可能にして、充填時間の差を小さくし、円滑な充填を促す。なお、前記「略三角形状」とは、三角形を含む意味である。
【００１８】
別の手段は、厚さ方向に貫通する貫通穴を有し金属コアプリント配線板を構成する金属コア板であって、前記貫通穴のうち、一方向の長さがこれと直交する方向の長さよりも長い部分を有する長穴が、プレスによる打ち抜きで形成され、前記長い部分の穴内面に、その長手方向と直交する内方に向けて部分的に突出して積層されたプリプレグの樹脂を前記長穴の内方に向けて導く複数の樹脂導入突部を備え、前記樹脂導入突部が、円弧状の２辺で挟まれて先端側ほど幅狭となる略三角形状であり、前記長穴の長い部分の穴内面が円弧の連続した形状であるとともに、その先端が角アール部を有し、長手方向において隣接する前記樹脂導入突部の間隔は、前記長穴の長手方向と直交する内方の長さよりも短く、その長さの半分の長さよりも長く構成され、前記長穴の幅方向の中心と前記樹脂導入突部の間の中心点との交点間の間隔が少なくとも一部で異なる金属コア板である。
【００１９】
また別の手段は、この金属コア板を用いた金属張積層板である。
【００２０】
さらに別の手段は、金属コア板の両面に、金属コア板側から順に樹脂からなる絶縁層と金属箔を有する金属張積層板を用いて構成された金属コアプリント配線板の製造方法であって、前記金属コア板の厚さ方向に貫通する貫通穴のうち、一方向の長さがこれと直交する方向の長さよりも長い部分を有する長穴が、前記長い部分の穴内面に、その長手方向と直交する内方に向けて部分的に突出し、円弧状の２辺で挟まれて先端側ほど幅狭となる略三角形状であり、前記長穴の長い部分の穴内面が円弧の連続した形状であるとともに、その先端が角アール部を有する樹脂導入突部を、長手方向において隣接する間隔が、前記長穴の長手方向と直交する内方の長さよりも短く、その長さの半分の長さよりも長く構成されるとともに、前記円弧の中心の間隔が少なくとも一部で異なるように、プレスで打ち抜き形成し、前記金属コア板とプリプレグと金属箔を積層して加熱プレスによる積層工程で、前記プリプレグの樹脂を前記長穴の内方に導いて前記長穴に樹脂を充填する金属コアプリント配線板の製造方法である。
【発明の効果】
【００２１】
以上のように、この発明によれば、金属コア板の樹脂導入突部が、長穴の穴内面から長穴の幅方向の中心までの距離を部分的に短くして、穴内面から遠い部分への樹脂の流動を促すので、長穴での樹脂の充填が円滑に行え、ボイドの発生を抑制することができる。また、充填に必要な樹脂の量を抑制し、複数の長穴が密に配設された部分においても、長穴に充填される樹脂の量を確保するので、この部分においてもボイドの発生を抑制できる。この結果、良質の製品を安定して得られる。
【００２２】
しかも、金属コア板の貫通穴に樹脂導入突部を形成するだけでよく、その上、樹脂導入突部の形成は貫通穴形成と同時に行えるので、工程数を増やさずにすみ、生産性が良い。このため、製造コストの低減も図ることができる。
【図面の簡単な説明】
【００２３】
【図１】金属コア板の平面図。
【図２】金属張積層板及び金属コアプリント配線板の製造工程の説明図。
【図３】長穴の平面図。
【図４】長穴の平面図。
【図５】長穴の平面図。
【図６】長穴の平面図。
【図７】積層一体化工程の説明図。
【図８】金属張積層板の断面図。
【図９】従来の金属コア板の平面図。
【図１０】従来の金属張積層板の一部破断平面図。
【図１１】図１０のＡ−Ａ断面図とＢ−Ｂ断面図。
【発明を実施するための形態】
【００２４】
この発明を実施するための一形態を、以下図面を用いて説明する。
【００２５】
この発明では、ボイドの発生を抑制することが工程数を増やさずに容易に行えるとともに、製造コストの低減も図ることができるようにするという目的を、図１、図２に示したように、金属コア板１１の厚さ方向に貫通する貫通穴２１のうち、一方向の長さがこれと直交する方向の長さよりも長い部分を有する長穴２３の前記長い部分の穴内面２４に、その長手方向と直交する内方に向けて部分的に突出して積層されたプリプレグ１４の樹脂を長穴２３の内方に向けて導く樹脂導入突部２５を備えるという構成にて実現した。
【００２６】
図１は、金属コア板１１の一部の平面図であり、図２は、その金属コア板１１を用いた銅張積層板１２および金属コアプリント配線板１３の製造工程の説明図である。
【００２７】
まず、金属コアプリント配線板１３の製造工程について、図２を用いて簡単に説明する。
【００２８】
所定厚の銅板を所定大所定形状に裁断して、金属コア板１１の素材１１ａを得る（図２（ａ）参照）。そして、この素材１１ａの所定位置に対して、基板の設計に基づいて厚み方向に貫通する貫通穴２１をあける（図２（ｂ）参照）。この穴あけ工程では、図１に示したように平面視円形をなす円形の（点状の）貫通穴２２と、平面視線状をなす長穴様の（線状の）貫通穴２３（以下、「長穴」という）など、必要な形状寸法の貫通穴２１を形成する。
【００２９】
このあと、必要な貫通穴２１を有した金属コア板１１の表面に、樹脂のくっつきをよくするための粗化処理を施し、続いて積層一体化工程（図２（ｃ）参照）に移行する。
【００３０】
積層一体化工程では、金属コア板１１の両面に、金属コア板１１側から順にプリプレグ１４と銅箔１５を重ね、圧板（図示せず）で挟んで真空環境下で加熱プレスをする。加熱プレスにより、プリプレグ１４の溶けた樹脂が金属コア板１１の貫通穴２１に充填されるとともに、金属コア板１１の両面を覆う。これによって金属コア板１１とプリプレグ１４の樹脂と銅箔１５が一体化し、樹脂からなる絶縁層１４ａが形成された金属張積層板としての前記銅張積層板１２が得られる（図２（ｄ）参照）。
【００３１】
続いて、所定位置にスルーホール用の穴１６を開け（図２（ｅ）参照）、スルーホールめっき１７（図２（ｆ）参照）、パターン１８形成（図２（ｇ）参照）、ソルダレジスト１９形成（図２（ｈ）参照）などの必要な処理を行うと前記金属コアプリント配線板１３となる。
【００３２】
次に、前記金属コア板１１について説明する。  
金属コア板１１は、図１に示したように、少なくとも前記円形の貫通穴２２と前記長穴２３を有する。円形の貫通穴２２は、所定大で所定の配置に形成される。長穴２３は、一方向の長さがこれと直交する方向の長さよりも長い部分を有し、例えば図３（ａ）に示したように一直線状にのびる形状である。円形の貫通穴２２と同様に所定大で所定の配置に形成される。長穴２３は前記のような一直線状にのびる形状のほか、屈曲部分を有する形状の長穴や、一部または全体が湾曲した形状の長穴であってもよく、長穴は配線のためのもののほか、コア分割のためのスリット状の貫通穴であってもよい。
【００３３】
図３（ａ）に示した長穴２３は、前記一方向の長さがこれと直交する方向の長さよりも長い部分、すなわち長手方向全体の穴内面２４に、その長手方向と直交する方向に向けて部分的に突出する複数の樹脂導入突部２５を有する。この樹脂導入突部２５は、前記積層一体化工程において前記プリプレグ１４の樹脂を長穴２３の内方に向けて導くものである。
【００３４】
図３（ａ）の前記樹脂導入突部２５は、円弧状の２辺で挟まれて先端側ほど幅狭となる略三角形状に形成され、長穴２３の長手方向と直交する方向に相対向させた状態で等間隔に配設されている。この配設間隔ｗは適宜設定されるが、長穴２３の長手方向と直交する方向（以下「幅方向」という）の長さａよりも短く、前記長さａの半分の長さよりも長い間隔ｗであるとよい。好ましくは、前記長さａよりも若干短い間隔であるとよい。このような間隔ｗであると、長穴２３の両端を図示のように同一曲率の円形に形成した場合のそれと同一曲率の円弧で前記樹脂導入突部２５を形成したときに、長穴２３の長手方向における樹脂導入突部２５間の中心点と幅方向の中心との交点ｐに対する円弧状をなす穴内面２４からの距離を略均等にすることがきる。
【００３５】
この樹脂導入突部２５により、長穴２３はその長手方向において部分的に幅方向の長さが短い部分ができる。つまり、樹脂導入突部２５がなく長穴２３の穴内面２４が長手方向全体で直線状であると想定した場合と比較して、長穴２３の容積が小さくなる。また長穴２３の穴内面２４は、幅方向に入り組んだ平面視形状となり、長円形状の長穴の穴内面から等距離の部分を想定した場合と比較して、穴内面２４から距離の長い部分は、長穴の長手方向に直線状に延びるのではなく、長手方向に点在する状態となる。このため、前記穴内面２４から距離の長い部分を減らすとともに、樹脂導入突部２５の略三角形状ゆえに穴孔面２４からの距離のばらつきを抑えることができる。
【００３６】
また、各樹脂導入突部２５の先端は、図３（ｂ）に示したように尖っていてもよいが、図３（ａ）に図示したように角アール部２５ａを備えるのが好ましい。角アール部２５ａを備えることによって、長穴２３形成時にバリなどの不備が発生することを抑制できる。
【００３７】
このような円形の貫通穴２２と長穴２３は、前記穴あけ工程（図２（ｂ）参照）において、ドリル等で形成することも可能であるが、金型（図示せず）を用いたプレスによる打ち抜きで形成される。
【００３８】
前記樹脂導入突部２５の形状や配置、大きさなどは基板の設計に応じて適宜設定される。樹脂導入突部２５の若干の例を示すと、例えば図４、図５、図６に示したように構成することができる。
【００３９】
前述の図３に示した樹脂導入突部２５は、換言すれば、仮想の円形穴を一部重複した状態で連続形成したような形状であるが、このような形状に形成する場合には、図４（ａ）、図４（ｂ）に示したように、長穴２３の長手方向と直交する方向の長さａに対する前記仮想円形穴の中心の間隔ｂによって、樹脂導入突部２５の突出長さｃが決まることになる。すなわち、仮想円形穴の中心の間隔ｂが長手方向と直交する方向の長さａと比較して長いほど、図４（ｂ）に示したように樹脂導入突部２５の長さｃを長く形成できる。
【００４０】
基板の設計によっては、図４（ｃ）に示したように、前記仮想円形穴の中心の間隔ｂ，ｄを一部違えることもできる。この場合はもちろん、樹脂導入突部２５の突出長さｃに違いが生じるが、角アール部２５ａの大きさを変えるなどして、吐出長さｃを図４（ｃ）に仮想線で示すように、短くすることも可能である。
【００４１】
また、樹脂導入突部２５の先端の角アール部２５ａを樹脂導入突部２５の基部の幅に比して大きめに設定することもできる。図５（ａ）は、そのような大きめに設定された角アール部２５ａを有する樹脂導入突部２５の基部同士の間を、長穴２３の長手方向に直線状をなす穴内面２４ａを介して連続させた長穴２３の形状の例である。図５（ｂ）は、樹脂導入突部２５の基部同士の間を樹脂導入突部２５の角アール部２５ａと同一曲率の円弧状をなす穴内面２４ｂを介して連続させた長穴２３の形状の例である。
【００４２】
さらに、図６（ａ）に示したように、樹脂導入突部２５を、先端側ほど幅狭となるよう三角形状に基部から延ばして、その先端を方形状にして全体しての略櫛歯状に形成することもできる。樹脂導入突部２５を単なる長方形板状に形成して、略櫛歯状に離間配設してもよい。図示は省略するが、この場合にも角アール部を形成するとよい。
【００４３】
さらにまた、図６（ｂ）に示したように、樹脂導入突部２５を長手方向に直交する方向で対向させずに、千鳥状に配設することも可能である。
【００４４】
以上のような構成の金属コア板１１を用いて前記積層一体化工程を行うと、図７に示したように金属コア板１１に対して積み重ねた状態のプリプレグ１４の樹脂が溶けて、矢印で示したように長穴２３をはじめとするすべての貫通穴２１に樹脂が流れ込む。
【００４５】
このとき、長穴２３においては前記樹脂導入突部２５が、前記プリプレグ１４の樹脂を前記長穴２３の内方に導いて前記長穴２３に樹脂を充填する。
【００４６】
長穴２３の樹脂導入突部２５が長穴２３内を部分的に占有しているので、長穴２３の容積が小さくなり、流れ込む樹脂の量が少なくて済む。また、樹脂導入突部２５は、長穴２３の穴内面２４から長穴２３の幅方向の中心までの距離を部分的に短くして、穴内面２４からの距離が長い部分を線状に分布させるのではなく点在させる。しかも、距離の均等化も図れ、長穴２３における穴内面２４から離れた幅方向の中心部分に樹脂を円滑に導くので、充填にかかる時間差が小さくなる。この結果、樹脂の十分な充填が迅速に行われる。
【００４７】
また、長穴２３の容積を小さくして充填される樹脂の量を抑えるので、貫通穴２１、特に長穴２３が複数並設され密集した部位であっても、その長穴２３に対しては勿論のこと、その他の貫通穴２１への樹脂供給量を確保する。プリプレグの材料費を低減させることもできる。
【００４８】
さらに、前記樹脂導入突部２５の先端は角アール部２５ａを有しているので、前述のように穴あけ加工に際してバリの発生が抑えられる結果、樹脂の流動が徒に乱れることを回避して、樹脂充填時の樹脂の流動の円滑さを向上できる。
【００４９】
このため、図８（ａ）、図８（ｂ）に示したように、ボイドのない銅張積層板１２が得られる。図８（ａ）は長穴の長手方向と直交する方向の断面図であり、図８（ｂ）は長穴の長手方向に沿った方向の断面図である。
【００５０】
したがって、ボイドない銅張積層板１２を得ることができ、品質の向上を図れ、その品質も安定したものとなる。しかも、工程の増加を伴わないため、良品質化とその安定性と相俟って、コストを抑えつつ、生産性の大幅な向上が図れる。
【００５１】
また、長穴２３はプレスによる打ち抜きで形成されるが、その穴内面２４に長手方向に沿って複数の樹脂導入突部２５を有するので、穴あけ加工時のプレスによる応力が緩和され、長穴２３を挟む対向部分における面剛性が高まるので、反りを抑制でき、品質の向上に資するという利点も有する。しかも、ドリル加工等行う場合に比べて、ワンアクションで前記のような穴あけができるため、安定した品質の金属コア板を量産できる。
【００５２】
さらに、樹脂導入突部２５は前記のように角アール部２５ａを有するので、プレス加工中に発生する集中応力を緩和させることができるとともに、先端を尖らせたときよりもクリアランスを確保できるので、金型の耐久性を得られる。この点からも、量産が可能で、コストの低減が図れる。
【００５３】
この発明の構成と、前記一形態の構成との対応において、  
この発明の金属箔は、前記銅箔１５に対応し、  
同様に、  
金属張積層板は、前記銅張積層板１２に対応するも、  
この発明は前記構成に限定されるものではなく、その他の形態を採用することができる。
【００５４】
例えば、金属箔には銅箔以外のものを使用してもよい。
【００５５】
また、長穴のすべての部分が、一方向の長さがこれと直交する方向の長さよりも長い部分からなるものではなく、一部に前記長い部分を有する長穴であってよく、この場合には、樹脂導入突部は、長穴の全体にわたって形成されるのではなく、前記長い部分に形成される。
【符号の説明】
【００５６】
１１…金属コア板
１２…銅張積層板
１３…金属コアプリント配線板
１４…プリプレグ
１４ａ…絶縁層
１５…銅箔
２１…貫通穴
２３…長穴
２４…穴内面
２５…樹脂導入部
２５ａ…角アール部
【図１】
0005971928.tif 000002
【図２】
0005971928.tif 000003
【図３】
0005971928.tif 000004
【図４】
0005971928.tif 000005
【図５】
0005971928.tif 000006
【図６】
0005971928.tif 000007
【図７】
0005971928.tif 000008
【図８】
0005971928.tif 000009
【図９】
0005971928.tif 000010
【図１０】
0005971928.tif 000011
【図１１】
0005971928.tif 000012